【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
陽極電極部と陰極電極部を有し、かつ、陰極電極部の表面に絶縁層を設けた平板状の素子を複数枚積層し、一部の素子の前記陽極電極部と他の素子の前記陽極電極部とを相反する側に配置するとともに、前記絶縁層で前記一部の素子の陰極電極部と前記他の素子の陰極電極部を電気的に分離し独立させた素子ユニットと、この素子ユニットの両端に位置する陽極電極部の下面に夫々配設されて各陽極電極部と接合された一対の陽極コム端子と、前記素子ユニットの前記一部の素子の陰極電極部と夫々電気的に接続された第１の陰極コム端子と、同じく前記素子ユニットの前記他の素子の陰極電極部と夫々電気的に接続された第２の陰極コム端子と、上記一対の陽極コム端子ならびに一対の陰極コム端子の少なくとも実装面となる下面の一部が夫々露呈する状態で上記素子ユニットを被覆した絶縁性の外装樹脂からなるチップ形固体電解コンデンサ。
【請求項２】
前記絶縁層は、前記陰極電極部の５０％を超える表面に設けた、請求項１に記載のチップ形固体電解コンデンサ。
【請求項３】
前記一部の素子の陰極電極部と夫々電気的に接続されたコの字形の第１の陰極コムフレームと、前記他の素子の陰極電極部と夫々電気的に接続されたコの字形の第２の陰極コムフレームとを有し、前記第１の陰極コム端子は、前記第１の陰極コムフレームを上面一端に電気的に接続すると共に第２の陰極コムフレームを同他端に絶縁状態で接続し、
前記第２の陰極コム端子は、前記第１の陰極コムフレームを上面一端に絶縁状態で接続すると共に第２の陰極コムフレームを同他端に電気的に接続した、請求項１に記載のチップ形固体電解コンデンサ。
【請求項４】
素子ユニットを構成する素子の陽極電極部の外周に沿って陽極電極部を一体に結合する陽極結合部を陽極コム端子に設けた請求項１に記載のチップ形固体電解コンデンサ。
【請求項５】
陽極コム端子ならびに陰極コム端子の下面の少なくとも一部を上面視外装樹脂から突出するように延長し、この延長部分を外装樹脂の側面に沿って上方へ折り曲げた請求項１に記載のチップ形固体電解コンデンサ。
【請求項６】
素子として、表面を粗面化して誘電体酸化皮膜層が形成された弁作用金属からなる陽極体の所定の位置に絶縁部を設けて前記陽極電極部と陰極形成部に分離し、この陰極形成部の誘電体酸化皮膜層上に導電性高分子からなる固体電解質層、カーボン層と銀ペースト層からなる陰極層を順次積層形成することにより前記陰極電極部を形成した素子を用いた請求項１に記載のチップ形固体電解コンデンサ。
【手続補正２】
【補正対象書類名】明細書
【補正対象項目名】全文
【補正方法】変更
【補正の内容】
【発明の詳細な説明】
【発明の名称】チップ形固体電解コンデンサ
【技術分野】
【０００１】
本発明は各種電子機器に使用されるコンデンサの中で、導電性高分子を固体電解質に用い、面実装対応にしたチップ形固体電解コンデンサに関するものである。
【背景技術】
【０００２】
電子機器の高周波化に伴って電子部品の一つであるコンデンサにも従来よりも高周波領域でのインピーダンス特性に優れたコンデンサが求められてきており、このような要求に応えるために電気伝導度が高い導電性高分子を固体電解質に用いた固体電解コンデンサが種々検討されている。
【０００３】
また、近年、パーソナルコンピュータのＣＰＵ周り等に使用される固体電解コンデンサには小型大容量化が強く望まれており、更に高周波化に対応して低ＥＳＲ（等価直列抵抗）化のみならず、ノイズ除去や過渡応答性に優れた低ＥＳＬ（等価直列インダクタンス）化が強く要求されており、このような要求に応えるために種々の検討がなされている。
【０００４】
図９（ａ）〜（ｄ）は本発明者らが提案した従来のチップ形固体電解コンデンサの構成を示した平面断面図と正面断面図と底面断面図と底面図であり、図９において、２１はコンデンサ素子を示し、このコンデンサ素子２１は、表面を粗面化して誘電体酸化皮膜層が形成された弁作用金属からなる陽極体の所定の位置に図示しない絶縁部を設けて陽極電極部２２と陰極形成部（図示せず）に分離し、この陰極形成部の誘電体酸化皮膜層上に導電性高分子からなる固体電解質層、カーボン層と銀ペースト層からなる陰極層（全て図示せず）を順次積層形成することにより陰極電極部２３を形成して構成されたものである。
【０００５】
２４は上記コンデンサ素子２１を複数枚積層したコンデンサ素子積層体であり、このコンデンサ素子積層体２４はコンデンサ素子２１の陽極電極部２２が交互に相反する方向に配設されるようにして複数枚を積層することにより構成されたものである。
【０００６】
２５は上記コンデンサ素子積層体２４の陽極電極部２２を一体に接合した陽極コムフレーム、２５ａはこの陽極コムフレーム２５に一体で設けられた陽極結合部であり、この陽極結合部２５ａは上記コンデンサ素子積層体２４を構成するコンデンサ素子２１の陽極電極部２２の外周に沿って陽極電極部２２を包み込むように折り曲げられた後、溶接部２５ｂでレーザー溶接等の手段によって一体に接合されているものである。２６は同じくコンデンサ素子積層体２４の陰極電極部２３を一体に接合した陰極コムフレームであり、この陰極コムフレーム２６と陰極電極部２３の接合は図示しない導電性接着剤により行われているものである。
【０００７】
２７は上記陽極コムフレーム２５を上面に接合した陽極コム端子であり、この陽極コム端子２７は幅方向の両端に夫々薄肉部２７ｂが設けられ、この薄肉部２７ｂを除く中央部分が実装時の陽極端子部２７ａとなるものである。
【０００８】
２８は上記陰極コムフレーム２６を上面に接合した陰極コム端子であり、この陰極コム端子２８は幅方向の中央部に薄肉部２８ｂが設けられ、この薄肉部２８ｂを除く両端部分が実装時の陰極端子部２８ａとなるものである。
【０００９】
２９は上記コンデンサ素子積層体２４、陽極コムフレーム２５、陰極コムフレーム２６、陽極コム端子２７、陰極コム端子２８を一体に被覆した絶縁性の外装樹脂であり、上記陽極コム端子２７、陰極コム端子２８に夫々設けた薄肉部２７ｂ、２８ｂも、この外装樹脂２９により一体に被覆され、チップ形固体電解コンデンサの実装面となる下面には、陽極端子部２７ａと陰極端子部２８ａが夫々対向する２箇所に露呈した４端子構造を構成しているものである。
【００１０】
このように構成された従来のチップ形固体電解コンデンサは、実装面となる下面に陽極端子部２７ａと陰極端子部２８ａが夫々対向する２箇所に露呈した４端子構造とした構成により、各端子間に流れる電流によって発生する磁束をお互いに打ち消し合い、ＥＳＬを大きく低減することができるようになり、更に各端子間距離を可能な限り近づけて電流のループ長さを小さくすることにより、更なる低ＥＳＬ化を図ることが可能になるというものであり、ＥＳＬを従来品の５２２ｐＨから９８ｐＨへと、約１／５以下にまで低減することができるというものであった。
【００１１】
なお、この出願の発明に関連する先行技術文献情報としては、例えば、特許文献１が知られている。
【特許文献１】特開２００７−５７６０号公報
【発明の開示】
【発明が解決しようとする課題】
【００１２】
しかしながら上記従来のチップ形固体電解コンデンサでは、実装面となる下面に陽極端子部２７ａと陰極端子部２８ａが夫々対向する２箇所に露呈した４端子構造とした構成により、各端子間に流れる電流によって発生する磁束をお互いに打ち消し合い、ＥＳＬを大きく低減することができるようになり、更に各端子間距離を可能な限り近づけて電流のループ長さを小さくすることにより、更なる低ＥＳＬ化を図ることが可能になるというものではあるが、上記陰極端子部２８ａは、見かけ上２端子構造にしてはいるものの、実際は１つの陰極端子であることから、これを等価回路で示すと図１０（ａ）、（ｂ）に示すようになる。
【００１３】
従って、図１０に示すように、チップ形固体電解コンデンサに印加された電流は、直流成分が陽極側を流れ、上記印加された電流に含まれる高周波ノイズ成分が陰極側を流れてグランドに落とし込まれるようにしているものであるが、２つの陰極が連結されているために、上記高周波ノイズ成分がグランドに落ちきらず、図中の矢印で示すように他方の陰極端子部側に相互に流れてしまい、結果として高周波ノイズ成分の除去が不十分となり、高周波領域におけるインピーダンス特性が悪化するという課題があった。
【００１４】
本発明はこのような従来の課題を解決し、高周波領域におけるインピーダンス特性に優れたチップ形固体電解コンデンサを提供することを目的とするものである。
【課題を解決するための手段】
【００１５】
上記課題を解決するために本発明は、陽極電極部と表面に絶縁層を設けた陰極電極部を有した平板状の素子を複数枚積層し、一部の素子の陽極電極部と他の素子の陽極電極部とを相反する側に配置するとともに、絶縁層で一部の素子の陰極電極部と他の素子の陰極電極部を電気的に分離し独立させた素子ユニットと、陽極コム端子と、一部の素子の陰極電極部と夫々接続された第１の陰極コム端子と、同じく他の素子の陰極電極部と夫々接続された第２の陰極コム端子からなる構成にしたものである。
【発明の効果】
【００１６】
以上のように本発明によるチップ形固体電解コンデンサは、個々の素子の陰極を夫々独立して引き出すことができるようになるために２つの独立した陰極を形成することができるようになり、これにより、印加された電流に含まれる高周波ノイズ成分が２つの独立した陰極側を流れて効率良くグランドに落とし込まれるようになるため、高周波ノイズ成分の除去が十分に行え、高周波領域におけるインピーダンス特性に優れたチップ形固体電解コンデンサを実現することができるという効果が得られるものである。
【発明を実施するための最良の形態】
【００１７】
（実施の形態１）
図１（ａ）、（ｂ）は本発明の実施の形態１によるチップ形固体電解コンデンサの基本的な構成を示した分解斜視図と積層状態を示した斜視図であり、図１において、１は平板状の素子を示し、この素子１は、表面を粗面化して誘電体酸化皮膜層が形成された弁作用金属箔（本実施の形態においてはアルミニウム箔を用いた）からなる陽極体の所定の位置に図示しない絶縁部を設けて陽極電極部２と陰極形成部（図示せず）に分離し、この陰極形成部の誘電体酸化皮膜層上に導電性高分子からなる固体電解質層、カーボン層と銀ペースト層からなる陰極層（全て図示せず）を順次積層形成することにより陰極電極部３を形成し、更にこの陰極電極部３の上記陽極電極部２と相反する側から陰極電極部３の５０％を越える表面に絶縁性樹脂からなる絶縁層４を形成することにより構成されたものである。
【００１８】
５は陽極コムフレーム、５ａはこの陽極コムフレーム５の上面に一対で設けられた陽極結合部、５ｂはこの陽極コムフレーム５の下面に接合された陽極コム端子であり、上記陽極コムフレーム５は、上記素子１を陽極電極部２を交互に相反する側に配置して複数枚（本実施の形態においては構成を分かり易くするために２枚とした）積層した素子ユニットの両端に位置する陽極電極部２の下面に夫々配設され、上記陽極結合部５ａを折り曲げることにより陽極電極部２を束ねるように包み込んだ後、抵抗溶接等の手段によって陽極電極部２を電気的、機械的に接合したものである。なお、上記陽極コム端子５ｂは独立した部材でなく、陽極コムフレーム５と一体としたものでも良い。
【００１９】
６はコ字形に形成された第１の陰極コムフレーム、６ａはこの第１の陰極コムフレーム６の両端に一対で設けられた側壁部であり、この第１の陰極コムフレーム６は、上記素子ユニットの下面に、最下段の素子１の陰極電極部３と当接するように配設され、導電性接着剤１０（図示はしないが上記側壁部６ａの内側にも導電性接着剤１０が塗布されるものである）を介して素子ユニットの積層方向における奇数枚目となる素子１の陰極電極部３と夫々電気的に接続されるようにしたものである。
【００２０】
７は上記第１の陰極コムフレーム６と同様に形成されたコ字形の第２の陰極コムフレーム、７ａはこの第２の陰極コムフレーム７の両端に一対で設けられた側壁部であり、この第２の陰極コムフレーム７は、上記素子ユニットの下面に、最下段の素子１の絶縁層４と当接するように配設され、導電性接着剤１０（図示はしないが上記側壁部７ａの内側にも導電性接着剤１０が塗布されるものである）を介して素子ユニットの積層方向における偶数枚目となる素子１の陰極電極部３と夫々電気的に接続されるようにしたものである。
【００２１】
８は第１の陰極コム端子であり、この第１の陰極コム端子８は、上記第１の陰極コムフレーム６を上面の一端に導電性接着剤１０を介して電気的に接続すると共に、上記第２の陰極コムフレーム７を上面の他端に絶縁性接着剤１１を介して絶縁状態で接続したものである。
【００２２】
９は上記第１の陰極コム端子８と同様に形成された第２の陰極コム端子であり、この第２の陰極コム端子９は、上記第１の陰極コムフレーム６を上面の一端に絶縁性接着剤１１を介して絶縁状態で接続すると共に、上記第２の陰極コムフレーム７を上面の他端に導電性接着剤１０を介して電気的に接続したものである。
【００２３】
これにより、上記第１の陰極コム端子８には素子ユニットの積層方向における奇数枚目となる素子１の陰極電極部３が電気的に接続され、また、第２の陰極コム端子９には素子ユニットの積層方向における偶数枚目となる素子１の陰極電極部３が電気的に接続された構成となり、夫々独立した一対の陽極コム端子５ｂと共に、第１の陰極コム端子８と第２の陰極コム端子９が夫々独立した４端子構造のチップ形固体電解コンデンサが構成されるものである。
【００２４】
このように構成された本実施の形態によるチップ形固体電解コンデンサは、陰極電極部３の５０％を超える表面に絶縁層４を設けた素子１を陽極電極部２を交互に相反する側に配置して複数枚積層して素子ユニットを形成した構成により、この素子ユニットの各陰極電極部３は夫々絶縁層４によって分離されて独立した状態になり、図２（ａ）、（ｂ）の等価回路図に示すように、素子ユニットの積層方向における奇数枚目の素子１の陰極電極部３と同偶数枚目の素子１の陰極電極部３は夫々独立した異なる２つの陰極となる。
【００２５】
従って、このチップ形固体電解コンデンサに印加された電流に含まれる高周波ノイズ成分が２つの独立した陰極を流れて効率良くグランドに落とし込まれるようになり、高周波ノイズ成分の除去が十分に行えるようになるため、高周波領域におけるインピーダンス特性に優れたチップ形固体電解コンデンサを実現することができるようになるという格別の効果を奏するものである。
【００２６】
このように構成された本実施の形態によるチップ形固体電解コンデンサの高周波領域におけるインピーダンス特性を測定した結果を比較例としての従来品と比較して図３ならびに（表１）に示す。
【００２７】
【表１】
2009123938.tif 000001
【００２８】
図３ならびに（表１）から明らかなように、本実施の形態によるチップ形固体電解コンデンサは、１ＧＨｚにおけるインピーダンスを従来品の６０％程度まで低減することができ、かつ、そのバラツキも小さいことから、高周波対応に対する昨今の高い要求にも十分に対応することができるものである。
【００２９】
（実施の形態２）
本実施の形態は、上記実施の形態１において図１を用いて説明したチップ形固体電解コンデンサの素子ユニットを構成する素子の積層枚数を増加させた点が異なるものであり、これ以外の構成は実施の形態１と同様であるために同一部分には同一の符号を付与してその詳細な説明は省略し、異なる部分についてのみ以下に図面を用いて説明する。
【００３０】
図４（ａ）、（ｂ）は本発明の実施の形態２によるチップ形固体電解コンデンサの構成を示した上面側からの斜視図と底面側からの斜視図、図５（ａ）、（ｂ）は同チップ形固体電解コンデンサの内部構造を示した上面側からの斜視図と底面側からの斜視図、図６（ａ）、（ｂ）は同チップ形固体電解コンデンサの樹脂モールド前の分解斜視図と同斜視図である。
【００３１】
図４〜図６において、１は陽極電極部２と陰極電極部３を有する素子であり、上記陰極電極部３の５０％を超える表面には絶縁性樹脂からなる絶縁層４が形成されており、このように構成された素子１を陽極電極部２が交互に相反する側に配置されるようにして６枚積層することにより素子ユニットを構成しているものである。
【００３２】
５は上記素子ユニットの各陽極電極部２を電気的、機械的に接合した一対の陽極コムフレーム、１２はこの陽極コムフレーム５の下面に夫々接合された陽極コム端子、１２ａはこの陽極コム端子１２の一端を曲げ起こして設けた折り曲げ部であり、この折り曲げ部１２ａは後述する外装樹脂１５により上記素子ユニットをモールドした後に外装樹脂１５から表出するようにしたものであり、これにより、基板への実装時の半田付け作業において、半田フィレットが形成され易いようにしたものである。
【００３３】
６は第１の陰極コムフレーム、７は第２の陰極コムフレームであり、上記素子ユニットの積層方向における奇数枚目となる素子１の陰極電極部３を導電性接着剤１０を介して夫々第１の陰極コムフレーム６（側壁部６ａを含む）に接続し、素子ユニットの積層方向における偶数枚目となる素子１の陰極電極部３を導電性接着剤１０を介して夫々第２の陰極コムフレーム７（側壁部７ａを含む）に接続するようにしたものである。
【００３４】
１３は第１の陰極コム端子、１３ａはこの第１の陰極コム端子１３の一端を曲げ起こして設けた折り曲げ部であり、この第１の陰極コム端子１３は、上記第１の陰極コムフレーム６を上面の一端に導電性接着剤１０を介して電気的に接続すると共に、第２の陰極コムフレーム７を上面の他端に絶縁性接着剤１１を介して絶縁状態で接続したものである。なお、上記折り曲げ部１３ａの構成と効果は上記陽極コム端子１２に設けた折り曲げ部１２ａと同様のものである。
【００３５】
１４は第２の陰極コム端子、１４ａはこの第２の陰極コム端子１４の一端を曲げ起こして設けた折り曲げ部であり、この第２の陰極コム端子１４は、上記第１の陰極コムフレーム６を上面の一端に絶縁性接着剤１１を介して絶縁状態で接続すると共に、第２の陰極コムフレーム７を上面の他端に導電性接着剤１０を介して電気的に接続したものである。なお、上記折り曲げ部１４ａの構成と効果は上記陽極コム端子１２に設けた折り曲げ部１２ａと同様のものである。
【００３６】
これにより、上記第１の陰極コム端子１３には素子ユニットの積層方向における奇数枚目（１枚目と３枚目と５枚目）となる素子１の陰極電極部３が夫々電気的に接続され、また、第２の陰極コム端子１４には素子ユニットの積層方向における偶数枚目（２枚目と４枚目と６枚目）となる素子１の陰極電極部３が夫々電気的に接続された構成となり、夫々独立した一対の陽極コム端子１２と共に、第１の陰極コム端子１３と第２の陰極コム端子１４が夫々独立した４端子構造のチップ形固体電解コンデンサが構成されていることは上記実施の形態１と全く同様のものである。
【００３７】
１５はエポキシ樹脂等からなる絶縁性の外装樹脂であり、この外装樹脂１５は、上記一対の陽極コム端子１２の底面と折り曲げ部１２ａ、第１の陰極コム端子１３の底面と折り曲げ部１３ａ、第２の陰極コム端子１４の底面と折り曲げ部１４ａが夫々外表面に露呈した状態で素子ユニット、陽極コムフレーム５、第１の陰極コムフレーム６、第２の陰極コムフレーム７を一体に被覆したものであり、これにより本実施の形態によるチップ形固体電解コンデンサが構成され、上記外装樹脂１５の底面に露呈した一対の陽極コム端子１２と第１の陰極コム端子１３と第２の陰極コム端子１４を介して図示しない基板に実装するように構成されたものである。
【００３８】
このように構成された本実施の形態によるチップ形固体電解コンデンサは、上記実施の形態１によるチップ形固体電解コンデンサと同様に、独立した異なる２つの陰極を設けた構成により、このチップ形固体電解コンデンサに印加された電流に含まれる高周波ノイズ成分が２つの独立した陰極を流れて効率良くグランドに落とし込まれるようになり、高周波ノイズ成分の除去が十分に行えるようになるため、高周波領域におけるインピーダンス特性に優れたチップ形固体電解コンデンサを実現することができるようになるという格別の効果を奏するものである。
【００３９】
（実施の形態３）
本実施の形態は、上記実施の形態２において図４〜図６を用いて説明したチップ形固体電解コンデンサの素子ユニットの構成が一部異なるようにしたものであり、これ以外の構成は実施の形態２と同様であるために同一部分には同一の符号を付与してその詳細な説明は省略し、異なる部分についてのみ以下に図面を用いて説明する。
【００４０】
図７（ａ）、（ｂ）は本発明の実施の形態３によるチップ形固体電解コンデンサの構成を示した上面側からの斜視図と底面側からの斜視図、図８（ａ）、（ｂ）は同チップ形固体電解コンデンサの樹脂モールド前の分解斜視図と同斜視図であり、図７と図８において、１は陽極電極部２と陰極電極部３を有する素子であり、上記陰極電極部３の５０％を超える表面には絶縁性樹脂からなる絶縁層４が形成されており、このように構成された素子１を同方向に３枚積層したものを１つの素子積層体とし、この素子積層体を上記陽極電極部２が交互に相反する側に配置されるようにして２組（６枚）積層して素子ユニットを構成している点が上記実施の形態２と異なる点である。
【００４１】
従って、上記素子ユニットの積層方向における奇数番目となる素子積層体の陰極電極部３を導電性接着剤１０を介して夫々第１の陰極コムフレーム６に接続し、素子ユニットの積層方向における偶数番目となる素子積層体の陰極電極部３を導電性接着剤１０を介して夫々第２の陰極コムフレーム７に接続するようにしたものである。
【００４２】
このように構成された本実施の形態によるチップ形固体電解コンデンサは、上記実施の形態１、実施の形態２によるチップ形固体電解コンデンサにより得られる効果に加え、素子１を同一方向に複数枚積層して素子積層体とし、この素子積層体を陽極電極部２が交互に相反する側に配置されるようにして積層することにより素子ユニットを構成したことにより、複数（３枚）の陰極電極部３が重なり合って第１の陰極コムフレーム６（側壁部６ａを含む）、第２の陰極コムフレーム７（側壁部７ａを含む）に接続されるようになるため、陰極電極部３と第１の陰極コムフレーム６、第２の陰極コムフレーム７とのコンタクト性が向上し、ＥＳＲを低下させることができるようになるという格別の効果を奏するものである。
【００４３】
また、素子ユニットを構成する素子積層体の陽極電極部２の折り曲げ量を半減することができるようになるため、素子１に加わるダメージを低減して漏れ電流特性の悪化を抑制することができるようになるという格別の効果も奏するものである。
【産業上の利用可能性】
【００４４】
本発明によるチップ形固体電解コンデンサは、高周波領域におけるインピーダンス特性に優れるという効果を有し、特に高周波特性が重要視される分野のコンデンサ等として有用である。
【図面の簡単な説明】
【００４５】
【図１】（ａ）本発明の実施の形態１によるチップ形固体電解コンデンサの基本的な構成を示した分解斜視図、（ｂ）同積層状態を示した斜視図
【図２】（ａ）、（ｂ）同チップ形固体電解コンデンサの構成を示した等価回路図
【図３】同チップ形固体電解コンデンサのインピーダンス特性を示した特性図
【図４】（ａ）本発明の実施の形態２によるチップ形固体電解コンデンサの構成を示した上面側からの斜視図、（ｂ）同底面側からの斜視図
【図５】（ａ）同チップ形固体電解コンデンサの内部構造を示した上面側からの斜視図、（ｂ）同底面側からの斜視図
【図６】（ａ）同チップ形固体電解コンデンサの樹脂モールド前の分解斜視図、（ｂ）同斜視図
【図７】（ａ）本発明の実施の形態３によるチップ形固体電解コンデンサの構成を示した上面側からの斜視図、（ｂ）同底面側からの斜視図
【図８】（ａ）同チップ形固体電解コンデンサの樹脂モールド前の分解斜視図、（ｂ）同斜視図
【図９】（ａ）従来のチップ形固体電解コンデンサの構成を示した平面断面図、（ｂ）同正面断面図、（ｃ）同底面断面図、（ｄ）同底面図
【図１０】（ａ）、（ｂ）従来のチップ形固体電解コンデンサの構成を示した等価回路図
【符号の説明】
【００４６】
１  素子
２  陽極電極部
３  陰極電極部
４  絶縁層
５  陽極コムフレーム
５ａ  陽極結合部
５ｂ  陽極コム端子
６  第１の陰極コムフレーム
６ａ、７ａ  側壁部
７  第２の陰極コムフレーム
８、１３  第１の陰極コム端子
９、１４  第２の陰極コム端子
１０  導電性接着剤
１１  絶縁性接着剤
１２  陽極コム端子
１２ａ、１３ａ、１４ａ  折り曲げ部
１５  外装樹脂